(57)【特許請求の範囲】
【請求項１】
トナーを記録紙へ定着させる定着部に補助的に電力を供給する補助電源と、
前記定着部を前記補助電源からの電力で加熱する第１定着ヒータと、
外部電源からの電力で前記定着部を加熱する第２定着ヒータと、
前記第１定着ヒータを駆動させるか否かを切り替える第１定着ヒータ駆動手段と、
前記第２定着ヒータを駆動させるか否かを切り替える第２定着ヒータ駆動手段と、
前記補助電源を充電する充電制御手段と、
前記充電制御手段による充電で前記補助電源が満充電になったか否かを判別する充電度判別手段と、
操作者からプリント指示を受け付ける指示受付手段と、
当該画像形成装置の動作時における消費電力を低減する省電力モードに設定する指示を受け付けるモード設定受付手段と、
前記モード設定受付手段に前記省電力モードに設定する旨の指示が受け付けられている場合に、前記指示受付手段に前記プリント指示が受け付けられたときは、前記充電度判別手段によって前記補助電源が満充電であると判別された後に、前記第１定着ヒータ駆動手段及び第２定着ヒータ駆動手段に前記第１及び第２定着ヒータの駆動を開始させて、当該プリント指示に基づくジョブを実行する制御手段と
を備えた画像形成装置。
【請求項２】
操作者に対するメッセージを表示する表示手段と、
前記受け付けられたプリント指示に基づくジョブを、前記補助電源が満充電であると判別されるまで待機させる場合には、前記補助電源の満充電後に当該ジョブを実行する旨のメッセージを前記表示手段に表示させる表示制御手段と
を更に備えた請求項１に記載の画像形成装置。
【請求項３】
前記補助電源の満充電後における前記ジョブの実行を了承する旨の指示が前記指示受付手段に受け付けられた場合にのみ、前記制御手段が、前記充電度判別手段によって前記補助電源が満充電であると判別されるまで当該ジョブを待機させ、前記補助電源の満充電後における前記ジョブの実行を了承しない旨の指示が前記指示受付手段に受け付けられた場合は、前記補助電源が満充電であると判別されるのを待たずに、即座に前記第１定着ヒータ駆動手段及び第２定着ヒータ駆動手段に前記第１及び第２定着ヒータの駆動を開始させて、当該プリント指示に基づくジョブを実行する請求項２に記載の画像形成装置。
【請求項４】
原稿画像を読み取る画像読取手段と、
前記画像読取手段によって読み取られた画像を記録紙上に画像形成する画像形成手段とを更に備え、
前記制御手段は、前記モード設定受付手段に前記省電力モードに設定する旨の指示が受け付けられている場合に、前記指示受付手段に前記プリント指示が受け付けられると、即座に前記画像読取手段に原稿画像を読み取らせる一方、前記画像形成手段の駆動と、前記第１定着ヒータ駆動手段及び第２定着ヒータ駆動手段による前記第１及び第２定着ヒータの駆動は、前記充電度判別手段によって前記補助電源が満充電であると判別された後に開始させる請求項１に記載の画像形成装置。
【請求項５】
外部接続されたパーソナルコンピュータから、前記モード設定受付手段が前記省電力モードに設定するか否かの指示を受け付け、前記指示受付手段は前記プリント指示を受け付けるものであり、
前記制御手段は、前記省電力モードに設定しない旨の指示及び前記プリント指示が前記パーソナルコンピュータから受け付けられると、当該パーソナルコンピュータからの指示よりも前に、前記モード設定受付手段に省電力モードに設定する指示が既に受け付けられていた場合であっても、前記充電度判別手段によって前記補助電源が満充電であると判別されるのを待たずに、当該パーソナルコンピュータからの指示に基づき、即座に前記第１定着ヒータ駆動手段及び第２定着ヒータ駆動手段に前記第１及び第２定着ヒータの駆動を開始させて、当該パーソナルコンピュータからの指示に基づくジョブを実行する請求項１乃至請求項４のいずれかに記載の画像形成装置。
【発明の詳細な説明】
【技術分野】
【０００１】
本発明は、熱によりトナーを記録紙に定着させる定着部を有する画像形成装置に関する。
【背景技術】
【０００２】
従来から、コピー機等の画像形成装置においては、熱によりトナーを記録紙に定着させる定着部を、短時間で定着可能温度まで上昇させるために、充電可能な補助電源（キャパシタや二次電池等）を備え、画像形成装置の初期立ち上げ時等におけるプリント可能状態への移行時に、商用電源（外部電源）及び補助電源を用いて大電流を定着ヒータに流すことで立上り時間を短縮する技術が提案されている（下記特許文献１参照）。また、動作時における消費電力を低減する省電力モードの設定が可能とされた画像形成装置も提案されている。
【特許文献１】特開平１０−２８２８２１号公報
【発明の開示】
【発明が解決しようとする課題】
【０００３】
しかし、画像形成装置が上記省電力モードで動作していても、当該画像形成装置の操作者は、省電力モードで動作していることを認識できないことが多い。また、動作時における消費電力をより確実に低減できるように省電力機構を改善することが望まれている。
【０００４】
本発明は、上記問題点に鑑みて成されたもので、省電力モードで動作していることを操作者が容易に認識できる画像形成装置を提供することを目的とする。
【課題を解決するための手段】
【０００５】
請求項１に係る発明は、トナーを記録紙へ定着させる定着部に補助的に電力を供給する補助電源と、
前記定着部を前記補助電源からの電力で加熱する第１定着ヒータと、
外部電源からの電力で前記定着部を加熱する第２定着ヒータと、
前記第１定着ヒータを駆動させるか否かを切り替える第１定着ヒータ駆動手段と、
前記第２定着ヒータを駆動させるか否かを切り替える第２定着ヒータ駆動手段と、
前記補助電源を充電する充電制御手段と、
前記充電制御手段による充電で前記補助電源が満充電になったか否かを判別する充電度判別手段と、
操作者からプリント指示を受け付ける指示受付手段と、
当該画像形成装置の動作時における消費電力を低減する省電力モードに設定する指示を受け付けるモード設定受付手段と、
前記モード設定受付手段に前記省電力モードに設定する旨の指示が受け付けられている場合に、前記指示受付手段に前記プリント指示が受け付けられたときは、前記充電度判別手段によって前記補助電源が満充電であると判別された後に、前記第１定着ヒータ駆動手段及び第２定着ヒータ駆動手段に前記第１及び第２定着ヒータの駆動を開始させて、当該プリント指示に基づくジョブを実行する制御手段と
を備えた画像形成装置である。
【０００６】
この構成では、モード設定受付手段に省電力モードに設定する旨の指示が受け付けられている場合、指示受付手段にプリント指示が受け付けられても、充電制御手段による充電で補助電源が満充電にならない限り、制御手段は、第１定着ヒータ駆動手段及び第２定着ヒータ駆動手段に第１及び第２定着ヒータの駆動を開始させず、当該プリント指示に基づくジョブを待機させるようになっている。
【０００７】
請求項２に係る発明は、請求項１に記載の画像形成装置であって、操作者に対するメッセージを表示する表示手段と、
前記受け付けられたプリント指示に基づくジョブを、前記補助電源が満充電であると判別されるまで待機させる場合には、前記補助電源の満充電後に当該ジョブを実行する旨のメッセージを前記表示手段に表示させる表示制御手段と
を更に備えたものである。
【０００８】
この構成では、補助電源が満充電になるまでジョブを待機させる場合は、補助電源の満充電後に当該ジョブを実行する旨のメッセージを表示手段に表示して、当該画像形成装置の操作者に、ジョブ実行タイミングを認識させるようにしている。
【０００９】
請求項３に係る発明は、請求項２に記載の画像形成装置であって、前記補助電源の満充電後における前記ジョブの実行を了承する旨の指示が前記指示受付手段に受け付けられた場合にのみ、前記制御手段が、前記充電度判別手段によって前記補助電源が満充電であると判別されるまで当該ジョブを待機させ、前記補助電源の満充電後における前記ジョブの実行を了承しない旨の指示が前記指示受付手段に受け付けられた場合は、前記補助電源が満充電であると判別されるのを待たずに、即座に前記第１定着ヒータ駆動手段及び第２定着ヒータ駆動手段に前記第１及び第２定着ヒータの駆動を開始させて、当該プリント指示に基づくジョブを実行するものである。
【００１０】
この構成では、操作者から受け付けられる指示が、補助電源の充電後におけるジョブの実行を了承するものであるか否かに応じて、当該ジョブを即座に実行するか、補助電源が満充電となるまで待機させるかを制御手段が制御するので、省電力モード時におけるジョブ実行タイミングを操作者が選択することができる。
【００１１】
請求項４に係る発明は、請求項１に記載の画像形成装置であって、原稿画像を読み取る画像読取手段と、
前記画像読取手段によって読み取られた画像を記録紙上に画像形成する画像形成手段とを更に備え、
前記制御手段は、前記モード設定受付手段に前記省電力モードに設定する旨の指示が受け付けられている場合に、前記指示受付手段に前記プリント指示が受け付けられると、即座に前記画像読取手段に原稿画像を読み取らせる一方、前記画像形成手段の駆動と、前記第１定着ヒータ駆動手段及び第２定着ヒータ駆動手段による前記第１及び第２定着ヒータの駆動は、前記充電度判別手段によって前記補助電源が満充電であると判別された後に開始させるものである。
【００１２】
この構成では、モード設定受付手段に省電力モードに設定する旨の指示が受け付けられている場合に、指示受付手段にプリント指示が受け付けられると、省電力モードであるか否かに拘わらず補助電源の電力を用いない画像読取動作は即座に行わせる一方、補助電源の電力を用いる定着動作と、定着動作の前に定着動作と連続して行わなければならない画像形成動作とは、補助電源が満充電であると判別された後に開始させるようにして、可能な限りで消費電力を低く抑えつつ、補助電源が満充電となった後に画像形成動作及び定着動作を直ちに開始できる状態としておき、プリント動作完了までに要する時間を短縮する。
【００１３】
請求項５に係る発明は、請求項１乃至請求項４のいずれかに記載の画像形成装置であって、外部接続されたパーソナルコンピュータから、前記モード設定受付手段が前記省電力モードに設定するか否かの指示を受け付け、前記指示受付手段は前記プリント指示を受け付けるものであり、
前記制御手段は、前記省電力モードに設定しない旨の指示及び前記プリント指示が前記パーソナルコンピュータから受け付けられると、当該パーソナルコンピュータからの指示よりも前に、前記モード設定受付手段に省電力モードに設定する指示が既に受け付けられていた場合であっても、前記充電度判別手段によって前記補助電源が満充電であると判別されるのを待たずに、当該パーソナルコンピュータからの指示に基づき、即座に前記第１定着ヒータ駆動手段及び第２定着ヒータ駆動手段に前記第１及び第２定着ヒータの駆動を開始させて、当該パーソナルコンピュータからの指示に基づくジョブを実行するものである。
【００１４】
この構成では、当該画像形成装置に操作者からの省電力モードに設定する指示が受け付けられていても、パーソナルコンピュータから、省電力モードに設定しない旨の指示及びプリント指示が受け付けられた場合は、補助電源が満充電であると判別されるのを待たずに、即座に第１定着ヒータ駆動手段及び第２定着ヒータ駆動手段に第１及び第２定着ヒータの駆動を開始させて、当該パーソナルコンピュータからの指示に基づくジョブを実行するようにする。
【発明の効果】
【００１５】
請求項１に記載の発明によれば、省電力モードに設定すると、第２定着ヒータに加えて、補助電源からの電力により第１定着ヒータを加熱することで、定着部の温度が定着可能な温度に達するまでの待ち時間（立ち上り時間）を短縮できるため、プリント待機時に定着部の各ヒータをオフにしておくことができ、大幅な電力の節約が可能になるが、この省電力モードに設定する旨の指示が受け付けられている場合に、プリント指示が受け付けられても、補助電源が満充電にならない限り、プリント指示に基づくジョブを待機させるので、動作時における消費電力を更に確実に低減でき、しかも、当該画像形成装置が省電力モードで動作していることを操作者が認識できる。
【００１６】
請求項２に記載の発明によれば、補助電源が満充電になるまでジョブを待機させる場合は、補助電源の充電後に当該ジョブを実行する旨のメッセージが表示されるので、当該画像形成装置の操作者に対して、ジョブ実行タイミングを認識させることができる。
【００１７】
請求項３に記載の発明によれば、操作者から受け付けられる指示が、補助電源の充電後におけるジョブの実行を了承するものであるか否かに応じて、当該ジョブを即座に実行するか、補助電源が満充電となるまで待機させるかが制御されるので、省電力モード時におけるジョブ実行タイミングを操作者が選択することができる。
【００１８】
請求項４に記載の発明によれば、省電力モードに設定する旨の指示が受け付けられている場合にプリント指示が受け付けられると、補助電源の電力に依存しない原稿読取動作を即座に行っておき、補助電源が満充電となった後に画像形成動作及び定着動作を直ちに開始できる状態とするので、可能な限りで消費電力を低減しつつ、プリント動作完了までに要する時間を短縮することができる。
【００１９】
請求項５に記載の発明によれば、画像形成装置から離れた位置にいることが想定されるパーソナルコンピュータの操作者からのプリント指示は、当該画像形成装置に省電力モードに設定する指示が受け付けられている場合であっても、補助電源が満充電であると判別されるのを待たずに、当該プリント指示に基づくジョブを即座に実行するので、画像形成装置が省電力モードでありジョブ待機の可能性があることを認識し難いパーソナルコンピュータの操作者に対して、ストレスを与えない快適なプリント動作を提供することができる。
【発明を実施するための最良の形態】
【００２０】
以下、本発明に係る実施形態を図面に基づいて説明する。図１は、本発明に係る画像形成装置の一実施形態である複合機の内部構成を示すブロック図であり、特に定着ローラを加熱する定着ヒータのオン／オフを制御する定着ヒータ制御機構を中心とした機能構成図である。図２は、複合機１の各状態種別（プラグイン状態、初期立ち上げ状態、プリント状態、レディ状態、スリープ状態、及び急速立ち上げ状態）及び、各状態から他の状態に遷移する契機となるイベントの種別とを示す状態遷移情報である。なお、本実施形態では、発明に係る画像形成装置を、例えばプリンタ、複写機、ファクシミリ装置、又はこれらの機能を併せ持つ上記複合機として説明する。但し、本発明に係る画像形成装置を複合機のみに限定する趣旨ではない。
【００２１】
外部電源２は、例えばいわゆる商用電源で、電力会社によるＡＣ（交流）電源である。電源制御回路２１は、複合機１を起動させる主電源スイッチであるメインスイッチ（主電源スイッチ）２２のオン又はオフに応じて、外部電源２からの電力を装置各部に供給するか否かを制御するものである。
【００２２】
複合機１は、記録部１１、指示受付部１２、タイマ１３、定着ローラ温度センサ１４、制御部１５、第１定着ヒータ１７、ヒータＯＮ／ＯＦＦ制御回路１８、電気二重層キャパシタ（補助電源）１９、スイッチングレギュレータ２０、リチウムイオン電池（補助電源）２３、リレースイッチ２４、バッテリ充電制御回路２５、第２定着ヒータ２６、第２定着ヒータ駆動回路２７、バッテリ充電度検出部２８及び表示部２９を備える。
【００２３】
記録部１１は、記録紙にトナー画像を記録するものであり、複合機１では、例えばコピー機能、プリンタ機能、ファクシミリ受信機能が実行される際にプリント指示を受けて動作する。記録部１１は、スキャナ部１１１、画像形成部１１２及び定着部１１３を備える。
【００２４】
スキャナ部（画像読取手段）１１１は、原稿照射ランプ及びＣＣＤ等からなり、コピーの対象となる原稿上に記載されている画像を読み取るものである。画像形成部（画像形成手段）１１２は、例えば、感光体ドラム、帯電装置、露光装置及び転写装置等からなり、電子写真方式で記録紙に画像を形成する機構である。定着部１１３は、熱ローラ及び加圧ローラからなる定着ローラ（図示省略）を備え、感光体ドラムでトナー画像が転写された記録紙を熱ローラ及び加圧ローラでニップし、熱及び圧力によりトナー画像を記録紙に定着させるものである。
【００２５】
指示受付部（指示受付手段、モード設定受付手段）１２は、ユーザ等からの複合機１に対する各種動作実行指示を受け付けるものであり、例えば、コピー機能、プリンタ機能、ファクシミリ受信機能の実行指示等を受け付けるものである。指示受付部１２に対する各指示は、次のようにして入力される。例えば、コピー機能実行指示は、当該複合機１の操作パネル（図示省略）からユーザにより当該複合機１に入力される。プリンタ機能実行指示は、ネットワーク等により複合機１に接続された例えばＰＣ（パーソナルコンピュータ）から当該複合機１に送信される。ファクシミリ受信実行指示は、公衆回線等により複合機１に接続されたファクシミリ送信装置から当該複合機１に送信される。なお、プリント指示とは、記録部１１の動作により記録紙に画像を記録させる動作の実行指示であり、コピー機能、プリンタ機能、ファクシミリ受信機能等の実行指示の中に含まれる。
【００２６】
タイマ１３は、状態判別部１５２から指示を受けた時点からの経過時間や現在時刻を計時するものである。定着ローラ温度センサ１４は、定着ローラの温度を計測して、定着ローラ温度制御部１５１に出力するものである。
【００２７】
第１定着ヒータ１７及び第２定着ヒータ２６は、定着ローラを加熱するためのヒータであり、本実施形態では、ハロゲンヒータからなる。第１定着ヒータ１７は、例えば１３００〜１８００ＷのＤＣ（直流）ヒータで、第２定着ヒータ２６は、例えば１２００ＷのＡＣ（交流）ヒータである。第１定着ヒータ１７は、大電流を流して急速に加熱するために消費電力の大きいものを用いている。第１定着ヒータ１７及び第２定着ヒータ２６は隣接して設置されている。
【００２８】
電気二重層キャパシタ１９は、第１定着ヒータ１７を駆動するための電源として機能する。電気二重層キャパシタ１９は、大電流での充放電が可能である。電気二重層キャパシタ１９は、充放電の繰り返し寿命が比較的長いが（例えば数十万回のオーダー）、電荷を放出すると電力（電圧）が急速に低下するという特徴を有する。電気二重層キャパシタ１９の充電時間は例えば数十秒である。
【００２９】
ヒータＯＮ／ＯＦＦ制御回路（第１定着ヒータ駆動手段）１８は、電気二重層キャパシタ１９からの電力で第１定着ヒータ１７を駆動するか否かを制御するものである。すなわち、ヒータＯＮ／ＯＦＦ制御回路１８は、電気二重層キャパシタ１９からの電力で第１定着ヒータ１７を加熱するか否かを切り替え制御する。スイッチングレギュレータ２０は、リチウムイオン電池２３から入力される電圧を平滑化して、安定した直流電圧を電気二重層キャパシタ１９に出力する電源安定化装置である。
【００３０】
リチウムイオン電池２３は、電気二重層キャパシタ１９を充電するために、電気二重層キャパシタ１９に電力を供給する充電式の電源である。リチウムイオン電池２３は、放電末期までの電圧の低下が小さいという特徴を有する。リチウムイオン電池２３の充電時間は例えば１０分である。リレースイッチ（充電制御手段）２４は、リチウムイオン電池２３を、(1)当該リチウムイオン電池２３が放電する電力で電気二重層キャパシタ１９を充電するように回路を接続するか、(2)外部電源２を電力供給源としてリチウムイオン電池２３を充電するように回路を接続するかを切り替えるスイッチである。
【００３１】
バッテリ充電制御回路（充電制御手段）２５は、外部電源２からの電力をリチウムイオン電池２３に供給するか否かを切り替えることにより、リチウムイオン電池２３を充電するか否かを切り替えるスイッチである。リレースイッチ２４をリチウムイオン電池２３を充電する側に接続を切り替え、かつ、バッテリ充電制御回路２５が外部電源２からの電力をリチウムイオン電池２３に供給することで、リチウムイオン電池２３が充電される。
【００３２】
第２定着ヒータ駆動回路（第２定着ヒータ駆動手段）２７は、外部電源２を電力供給源として第２定着ヒータ２６を駆動するか否か、すなわち、第２定着ヒータ２６を加熱させるか否かを切り替えるスイッチとして機能する。当該スイッチをオンにすると第２定着ヒータ２６が駆動され、当該スイッチをオフにすると第２定着ヒータ２６が停止される。
【００３３】
なお、複合機１は、メインスイッチ２２がオフされており、電源プラグが外部電源２のコンセントに接続されている場合には、リレースイッチ２４が、外部電源２からの電力でリチウムイオン電池２３が充電される側に切り替えられ、バッテリ充電制御回路２５が外部電源２の電力をリチウムイオン電池２３に供給するように設定されている。また、電源プラグが外部電源２のコンセントから外された場合には、リレースイッチ２４が、リチウムイオン電池２３の電力で電気二重層キャパシタ１９が充電される側に切り替わるように設定されている。
【００３４】
制御部１５は、複合機１全体の動作を制御するもので、プログラムを実行するＣＰＵ（中央処理装置）、前記プログラムを格納するＲＯＭ（リードオンリーメモリ）、前記プログラム実行時の一時的な記憶領域として用いられるＲＡＭ（ランダムアクセスメモリ）等から構成される。制御部１５は、動作制御部１５０、定着ローラ温度制御部１５１、状態判別部１５２、スイッチ制御部１５３及び表示制御部１５４を備える。
【００３５】
動作制御部（制御手段）１５０は、複合機１各部の動作制御を司るものであり、指示受付部１２で受け付けられるコピー機能やプリント機能等の実行指示に基づいて、記録部１１等の動作を制御する。
【００３６】
状態判別部１５２は、当該複合機１の現在の状態が、初期立ち上げ状態、プリント状態、レディ状態、スリープ状態、及プラグイン状態、及び急速立ち上げ状態のいずれにあるかを判別するものである。状態判別部１５２は、電源制御回路２１から送出されてくるメインスイッチ２２のオン又はオフ状態や、指示受付部１２からプリント指示が所定時間入力されないこと等に基づいて、複合機１が上記いずれの状態であるかを判別する。
【００３７】
初期立ち上げ状態は、複合機１に電源が投入された時点から（メインスイッチ２２がオンとされてから）、定着ローラの温度が定着可能な所定の第１の温度範囲（例えば、180℃前後）に至るまでの状態である。
【００３８】
プリント状態とは、複合機１がプリント動作を行っている間の状態（印刷（複写等を含む）を受け付けてから完了するまでの間の状態）である。プリント状態においては、定着ローラの温度は上記第１の温度範囲内に保たれる。
【００３９】
レディ状態は、プリント指示の入力を待機し、プリント指示があれば即座に定着ローラを上記第１の温度範囲まで上昇させることができる状態のことである。このレディ状態は、定着ローラの温度が、上記第１の温度範囲内よりも低い第２の温度範囲（例えば、90℃前後）とされる。
【００４０】
また、スリープ状態は、省電力化のために第１定着ヒータ１７及び第２定着ヒータ２６をオフにした状態であり、一定時間プリント指示が入力されない場合に、レディ状態からスリープ状態に移行するようになっている。
【００４１】
プラグイン状態とは、電源プラグが外部電源２のコンセントに差し込まれている状態であるが、メインスイッチ２２がオフとなっている状態をいう。
【００４２】
急速立ち上げ状態は、スリープ状態のときにプリント指示を受け付けた場合に、この受付時点から定着ローラの温度が定着可能な上記第１の温度範囲に立ち上がる状態をいう。
【００４３】
状態判別部１５２は、図２に示す状態遷移情報を予め記憶しており、現在の状態（遷移元状態）、及び発生したイベントから次に遷移する状態（遷移先状態）を判別する。状態判別部１５２は、電源制御回路２１から送出されてくるメインスイッチ２２のオン又はオフ状態や、指示受付部１２からプリント指示が所定時間入力されないこと等に基づいて、複合機１が上記いずれの状態であるかを判別する。状態判別部１５２は、判別した現在の状態、及び次に遷移する状態を示す情報をスイッチ制御部１５３に送出する。
【００４４】
定着ローラ温度制御部１５１は、プリント状態において、定着ローラの温度が上記第１の温度範囲内となるように、ヒータＯＮ／ＯＦＦ制御回路１８及び第２定着ヒータ駆動回路２７を駆動制御して、第１定着ヒータ１７及び第２定着ヒータ２６のオンオフを制御するものである。また、定着ローラ温度制御部１５１は、レディ状態において、定着ローラの温度が所定の第２の温度範囲内にあるように第２定着ヒータ２６のオンオフを制御するものである。これら定着ローラ温度制御部１５１による各制御は、スイッチ制御部１５３を介して行われる。
【００４５】
スイッチ制御部（制御手段）１５３は、状態判別部１５２によって判別された現在の複合機１の各状態毎に、或いは、定着ローラ温度制御部１５１からの指示に基づいて、ヒータＯＮ／ＯＦＦ制御回路１８，リレースイッチ２４、バッテリ充電制御回路２５及び第２定着ヒータ駆動回路２７の切り替えを制御するものである。
【００４６】
表示制御部（表示制御手段）１５４は、表示部２９の動作を制御するものであり、表示部２９に表示させる表示内容（操作者に対する各種メッセージ等）を管理する。
【００４７】
バッテリ充電度検出部（充電度判別手段）２８は、リチウムイオン電池２３の充電の程度（バッテリ残量）を検出して状態判別部１５２に送出し、また、リチウムイオン電池２３が満充電となっているか否かを判別してその判別結果を動作制御部１５０に送出する。
【００４８】
表示部（表示手段）２９は、ＬＣＤ（Liquid Crystal Display）等からなり、表示制御部１５４による制御の下、操作者に対する各種メッセージを表示する。
【００４９】
図３は、上記複合機１の各状態におけるヒータＯＮ／ＯＦＦ制御回路１８、リレースイッチ２４、バッテリ充電制御回路２５及び第２定着ヒータ駆動回路２７の状態を示す図である。この複合機１の各状態に対応するヒータＯＮ／ＯＦＦ制御回路１８、リレースイッチ２４、バッテリ充電制御回路２５及び第２定着ヒータ駆動回路２７の切替制御は、スイッチ制御部１５３によって行われる。複合機１の各状態に対応するヒータＯＮ／ＯＦＦ制御回路１８、リレースイッチ２４、バッテリ充電制御回路２５及び第２定着ヒータ駆動回路２７の状態は、スイッチ制御部１５３が自ら記憶しておいてもよいし、図略の記憶部に記憶させておき、スイッチ制御部１５３が必要に応じて読み出すものとしてもよい。また、バッテリ充電制御回路２５及び第２定着ヒータ駆動回路２７による電力供給制御は、電力を供給する場合をオン、電力を供給しない場合をオフとして示す。
【００５０】
初期立ち上げ状態及び急速立ち上げ状態においては、リレースイッチ２４がリチウムイオン電池２３を放電させる側（電気二重層キャパシタ１９を充電する側）に切り替えられ、バッテリ充電制御回路２５はオフとされる。また、ヒータＯＮ／ＯＦＦ制御回路１８により第１定着ヒータ１７はオンとされ、第２定着ヒータ駆動回路２７により第２定着ヒータ２６はオンとされる。
【００５１】
また、レディ状態においては、ヒータＯＮ／ＯＦＦ制御回路１８により第１定着ヒータ１７はオフとされ、リレースイッチ２４がリチウムイオン電池２３を放電させる側（電気二重層キャパシタ１９を充電する側）に切り替えられた状態であるが、バッテリ充電制御回路２５はオフとされ、また、第２定着ヒータ駆動回路２７により第２定着ヒータ２６はオンとされる。
【００５２】
スリープ状態及びプラグイン状態では、ヒータＯＮ／ＯＦＦ制御回路１８により第１定着ヒータ１７がオフとされ、リレースイッチ２４は、リチウムイオン電池２３を充電させる側に切り替えられる。バッテリ充電制御回路２５はオンとされてリチウムイオン電池２３が充電される。第２定着ヒータ駆動回路２７により第２定着ヒータ２６もオフとされる。
【００５３】
プリント状態においては、定着ローラ温度センサ１４からスイッチ制御部１５３に入力される定着ローラの温度値に基づいて、ヒータＯＮ／ＯＦＦ制御回路１８により第１定着ヒータ１７のオン又はオフが切り替えられ、定着ローラの温度が上記第１の温度範囲に保たれるようになっている。バッテリ充電制御回路２５はオフとされる。リレースイッチ２４はリチウムイオン電池２３を放電させる側（電気二重層キャパシタ１９を充電する側）に切り替えられる。第２定着ヒータ駆動回路２７により第２定着ヒータ２６はオンとされる。
【００５４】
次に、本発明に係る複合機１における定着ヒータ制御機構の回路イメージについて説明する。図４は、定着ヒータ制御機構の回路イメージ（概略）を示す回路図である。
【００５５】
外部電源（ＡＣ）２は、第２定着ヒータ駆動回路２７を介して第２定着ヒータ２６に接続される。外部電源２は、ＡＣ電流をＤＣ電流に整流するダイオード４１を介して第１定着ヒータ１７側に接続される。これにより、第１定着ヒータ１７にはＤＣ電流が流れ、第２定着ヒータ２６にはＡＣ電流が流れる。これら第１定着ヒータ１７及び第２定着ヒータ２６により定着ヒータ３０が構成される。
【００５６】
第１定着ヒータ１７が接続される回路には、バッテリ充電制御回路２５、リチウムイオン電池２３、スイッチングレギュレータ２０、リレースイッチ２４、電気二重層キャパシタ１９、及びヒータＯＮ／ＯＦＦ制御回路１８が接続されている。ダイオード４１からの電流は、バッテリ充電制御回路２５を介してリチウムイオン電池２３に供給される。バッテリ充電制御回路２５とリチウムイオン電池２３との間には、リレースイッチ２４が備えられており、このリレースイッチ２４により、(1)リチウムイオン電池２３をバッテリ充電制御回路２５側に接続して外部電源２からの電力でリチウムイオン電池２３が充電される接続とするか、また、(2)リチウムイオン電池２３をスイッチングレギュレータ２０側に接続し、電気二重層キャパシタ１９に電力を供給して、リチウムイオン電池２３の電力で電気二重層キャパシタ１９を充電する接続とするか、が切り替えられる。
【００５７】
電気二重層キャパシタ１９は、スイッチングレギュレータ２０に接続されてリチウムイオン電池２３からの電力で充電されるが、第１定着ヒータ１７にも接続されて電気二重層キャパシタ１９の電力を第１定着ヒータ１７に供給するようになっている。これら電気二重層キャパシタ１９と第１定着ヒータ１７との間には、ヒータＯＮ／ＯＦＦ制御回路１８が接続されており、電気二重層キャパシタ１９からの電力で第１定着ヒータ１７を駆動するか否かを制御できるようになっている。
【００５８】
また、第２定着ヒータ２６側の回路は、外部電源２と第２定着ヒータ２６が接続されるが、これら外部電源２と第２定着ヒータ２６との間には、第２定着ヒータ駆動回路２７が接続されており、この第２定着ヒータ駆動回路２７により、外部電源２からの電力で第２定着ヒータ２６を駆動するか否かを制御できるようになっている。
【００５９】
次に、複合機１における定着ヒータ駆動制御時の処理について第１実施形態を説明する。図５乃至図７は、複合機１における定着ヒータ駆動制御時の処理について第１実施形態を示すフローチャートである。
【００６０】
複合機１は、複合機１の電源プラグがコンセントから外されている状態では、リレースイッチ２４はリチウムイオン電池２３を放電させる側（電気二重層キャパシタ１９を充電する側）に切り替えられており、ヒータＯＮ／ＯＦＦ制御回路１８は第１定着ヒータ１７をオフ、バッテリ充電制御回路２５はオフ（リチウムイオン電池２３に外部電源２の電力を供給しない状態）、第２定着ヒータ駆動回路２７は第２定着ヒータ２６をオフとしている。なお、このスイッチ状態への移行は、例えば、電源制御回路２１が、複合機１の電源プラグがコンセントから外されたことを検出して、この状態を示す信号を状態判別部１５２に送出し、当該信号に基づいて状態判別部１５２によって判別された複合機１の当該状態に基づいて、スイッチ制御部１５３がリレースイッチ２４等を上記のように切り替えることによって実現される。
【００６１】
複合機１の電源プラグがコンセントに装着され、電源制御回路２１から状態判別部１５２に当該状態を示す信号が送出されると、状態判別部１５２が複合機１がプラグイン状態であると判別し、スイッチ制御部１５３は、ヒータＯＮ／ＯＦＦ制御回路１８に第１定着ヒータ１７をオフとさせ、第２定着ヒータ駆動回路２７には第２定着ヒータ２６をオフとさせ、さらに、リレースイッチ２４をリチウムイオン電池２３を充電させる側に切り替えると共に、バッテリ充電制御回路２５をオンにして、外部電源２の電力でリチウムイオン電池２３が充電される状態とする（Ｓ１）。これにより、外部電源２からの電力で、リチウムイオン電池２３の充電が開始されるようになっている。
【００６２】
そして、複合機１のメインスイッチ２２（主電源スイッチ）が、オンとされたことを電源制御回路２１が検知すると（Ｓ２でＹＥＳ）、電源制御回路２１はメインスイッチ２２がオン状態となったことを示す信号を状態判別部１５２に送出する。状態判別部１５２は、これをもって状態判別部１５２が複合機１の状態が初期立ち上げ状態であると判別し、この装置状態を示す信号をスイッチ制御部１５３に送出すると、スイッチ制御部１５３は、リレースイッチ２４をリチウムイオン電池２３を放電させる側（電気二重層キャパシタ１９を充電する側）に切り替え、バッテリ充電制御回路２５をオフとし、さらに、ヒータＯＮ／ＯＦＦ制御回路１８により第１定着ヒータ１７をオンとし、第２定着ヒータ駆動回路２７に第２定着ヒータ２６をオンとさせる（Ｓ３）。このように切替制御を行った場合、電気二重層キャパシタ１９が充電されていれば、第２定着ヒータ２６に加えて、第１定着ヒータ１７も駆動される。この状態は、定着ローラ温度制御部１５１及びスイッチ制御部１５３により、定着ローラ温度センサ１４から得られる定着ローラの温度が、上述の第１の温度範囲に達したと検出されるまで継続される（Ｓ４でＮＯ）。
【００６３】
定着ローラ温度センサ１４により定着ローラの温度が第１の温度範囲に達すると（Ｓ４でＹＥＳ）、状態判別部１５２は、指示受付部１２からプリント指示を受け付けたことを示す信号が入力されたかを判断する（Ｓ５）。なお、このプリント指示は、上述したように、記録部１１の動作により記録紙に画像を記録させる動作の実行指示であり、複合機１に、プリント動作を伴う機能の実行指示（例えば、操作者によるコピー機能実行指示、外部接続されたパーソナルコンピュータからのプリント出力実行指示、外部のファクシミリ装置からのファクシミリデータ受信時における受信データのプリント出力指示等）が入力された場合に、指示受付部１２に受け付けられる。
【００６４】
指示受付部１２からプリント指示を受け付けたことを示す信号が入力された場合（Ｓ５でＹＥＳ）、動作制御部１５０は、指示受付部１２に操作者からの省電力モードに設定する指示が受け付けられているかを判断する（Ｓ６）。
【００６５】
指示受付部１２に省電力モードの設定が受け付けられている場合（Ｓ６でＹＥＳ）、動作制御部１５０は、バッテリ充電度検出部２８からの情報に基づいて、リチウムイオン電池２３が満充電状態か否かを判断する（Ｓ７）。リチウムイオン電池２３が満充電状態ではない場合は（Ｓ７でＮＯ）、動作制御部１５０は、スイッチ制御部１５３を介して、リチウムイオン電池２３が外部電源２からの電力で充電される側にリレースイッチ２４を切り替え、バッテリ充電制御回路２５をオンとし、さらに、ヒータＯＮ／ＯＦＦ制御回路１８及び第２定着ヒータ駆動回路２７をオフとして第１定着ヒータ１７及び第２定着ヒータ２６を停止状態とする（Ｓ８）。表示制御部１５４は、リチウムイオン電池２３の充電完了後に（リチウムイオン電池２３が満充電となった後に）、プリント指示に基づくジョブを実行する旨のメッセージを表示部２９に表示させる（Ｓ９）。例えば、「リチウムイオン電池充電中につき、２０分後にジョブを開始します」等のメッセージが表示部２９に表示される。
【００６６】
上記Ｓ８及びＳ９の処理後、リチウムイオン電池２３が満充電状態になった場合（Ｓ７でＹＥＳ）、又はＳ６で指示受付部１２に省電力モードの設定が受け付けられていなかった場合は（Ｓ６でＮＯ）、状態判別部１５２は、複合機１の状態がプリント状態であると判断し、この装置状態を示す信号をスイッチ制御部１５３に送出する。スイッチ制御部１５３は、リレースイッチ２４をリチウムイオン電池２３を放電させる側（電気二重層キャパシタ１９を充電する側）とし、バッテリ充電制御回路２５をオフとし、第２定着ヒータ駆動回路２７に第２定着ヒータ２６をオンとさせた状態を維持するが、ヒータＯＮ／ＯＦＦ制御回路１８には、定着ローラ温度センサ１４から送られてくる温度情報に基づいて、定着ローラの温度が上記第１の温度範囲を保つように、適時に第１定着ヒータ１７のオン／オフを切り替えさせる（Ｓ１０）。プリント時には、定着ローラへの通紙状況により、第２定着ヒータ２６による加熱だけでは、定着ローラの熱が記録紙に奪われて定着ローラの温度が低下することがあるため、かかる温度低下を回避して、定着ローラの温度を一定に保つためである。動作制御部１５０は、記録部１１に記録動作を実行させる（Ｓ１１）。
【００６７】
なお、外部のファクシミリ装置からファクシミリデータを受信したときに、上記のようなリチウムイオン電池２３が満充電状態になるまでプリント動作を待機させる制御を行う場合は、受信したファクシミリデータを、複合機１に備えられるメモリ（図略）に保存しておき、リチウムイオン電池２３が満充電状態になった時点で、上記Ｓ１０及びＳ１１の処理を行わせるようにすればよい。
【００６８】
上記記録部１１の記録動作により、プリントが終了すると（Ｓ１２でＹＥＳ）、状態判別部１５２は、複合機１の状態がレディ状態になったと判別して、この装置状態を示す信号をスイッチ制御部１５３に送出する。スイッチ制御部１５３は、リレースイッチ２４をリチウムイオン電池２３を放電させる側（電気二重層キャパシタ１９を充電する側）とし、バッテリ充電制御回路２５をオフとし、第２定着ヒータ駆動回路２７をオンとして第２定着ヒータ２６を駆動状態としておくが、ヒータＯＮ／ＯＦＦ制御回路１８はオフとして、第１定着ヒータ１７を停止状態とする（Ｓ１３）。
【００６９】
なお、上記Ｓ５で指示受付部１２からプリント指示を受け付けたことを示す信号が状態判別部１５２に入力されない場合も（Ｓ５でＮＯ）、状態判別部１５２は、複合機１の状態がレディ状態になったと判別して、この装置状態をスイッチ制御部１５３に送出し、Ｓ１３の処理を行う。
【００７０】
状態判別部１５２は、複合機１の状態を上記レディ状態と判別した場合、上記Ｓ１３の処理を行うと共に、複合機１の状態をレディ状態を判別した時点からの時間経過の計測をタイマ１３に開始させる（Ｓ１４）。このタイマ１３による経過時間計測中に、指示受付部１２でプリント指示を受け付けた場合は（Ｓ１５でＹＥＳ）、動作制御部１５０は、処理をＳ６に戻す。
【００７１】
プリント指示が指示受付部１２に受け付けられることなく（Ｓ１５でＮＯ）、タイマ１３により所定時間（例えば、1分）が経過したことが計測された場合は（Ｓ１６でＹＥＳ）、状態判別部１５２は、複合機１の状態がスリープ状態になったと判別して、この装置状態を示す信号をスイッチ制御部１５３に送出する。スイッチ制御部１５３は、リレースイッチ２４を、リチウムイオン電池２３を外部電源２からの電力で充電する側とし、バッテリ充電制御回路２５をオンとして、リチウムイオン電池２３への充電を開始させる。また、スイッチ制御部１５３は、ヒータＯＮ／ＯＦＦ制御回路１８オフとして第１定着ヒータ１７を停止状態とし、第２定着ヒータ駆動回路２７もオフとして第２定着ヒータ２６を停止状態にする（Ｓ１７）。このように第１定着ヒータ１７及び第２定着ヒータ２６の両方を停止状態にすることによって、消費電力を低減した状態で更なるプリント指示に待機する。
【００７２】
上記スリープ状態のときに、指示受付部１２にプリント指示が受け付けられ、状態判別部１５２に、当該プリント指示を受け付けたことを示す信号が指示受付部１２から入力されると（Ｓ１８でＹＥＳ）、状態判別部１５２は、複合機１の状態が急速立ち上げ状態であると判断し、この装置状態を示す信号をスイッチ制御部１５３に送出する。この急速立ち上げ状態の場合、スイッチ制御部１５３は、リレースイッチ２４をリチウムイオン電池２３を放電させる側（電気二重層キャパシタ１９を充電する側）に切り替え、バッテリ充電制御回路２５をオフとし、さらに、ヒータＯＮ／ＯＦＦ制御回路１８により第１定着ヒータ１７をオンとし、第２定着ヒータ駆動回路２７に第２定着ヒータ２６をオンとさせる（Ｓ１９）。定着ローラ温度センサ１４から得られる定着ローラの温度が、上述の第１の温度範囲に達したと検出されると（Ｓ２０でＹＥＳ）、処理はＳ６に戻り、Ｓ６乃至Ｓ２０の処理が繰り返される。
【００７３】
なお、Ｓ３乃至Ｓ２０の処理のいずれかの時点でメインスイッチ２２がオフになったことが検出されると、処理はＳ１に戻される。
【００７４】
次に、複合機１による定着ヒータ駆動制御時の処理の第２実施形態を説明する。図８は、複合機１による定着ヒータ駆動制御時の処理の第２実施形態を示すフローチャートである。なお、図５乃至図７と同様の処理は図示及び説明を省略し、また、図８においては、図６に示した第１実施形態と同様の処理は同符号を付して説明を省略する。
【００７５】
本第２実施形態では、指示受付部１２からプリント指示を受け付けたことを示す信号が入力され（Ｓ５でＹＥＳ）、指示受付部１２に省電力モードの設定が受け付けられている場合に（Ｓ６でＹＥＳ）、動作制御部１５０が、バッテリ充電度検出部２８からの情報に基づいて、リチウムイオン電池２３が満充電状態ではないと判断したときは（Ｓ７でＮＯ）、表示制御部１５４は、リチウムイオン電池２３の充電完了後に当該プリント指示に基づくジョブを実行するか、又は即座に当該ジョブを実行するかの選択を操作者に対して促すメッセージを表示部２９に表示させる（Ｓ２１）。例えば、「リチウムイオン電池充電中につき２０分後にジョブを開始しますが、よろしいですか？  それとも即座にジョブを実行しますか？」等のメッセージが表示部２９に表示される。
【００７６】
そして、当該ジョブの実行時期をリチウムイオン電池２３の充電完了後とする指示が操作者から指示受付部１２に受け付けられた場合（Ｓ２２でＹＥＳ）、動作制御部１５０は、スイッチ制御部１５３を介して、リチウムイオン電池２３が充電される状態とし（Ｓ８）、表示制御部１５４が、リチウムイオン電池２３の充電完了後に当該ジョブを実行する旨のメッセージを表示部２９に表示させ（Ｓ９）、リチウムイオン電池２３の充電が完了した後に（Ｓ２３でＹＥＳ）、複合機１の状態がプリント状態に移行する（Ｓ１０）。
【００７７】
また、リチウムイオン電池２３を充電せずに、当該ジョブを即座に実行する旨の指示が操作者から指示受付部１２に受け付けられた場合は（Ｓ２２でＮＯ）、状態判別部１５２は、複合機１の状態がプリント状態であると判断し、この装置状態を示す信号をスイッチ制御部１５３に送出し、即座に複合機１の状態をプリント状態に移行させる（Ｓ１０）。
【００７８】
本第２実施形態によれば、操作者から受け付けられる指示が、リチウムイオン電池２３の充電後におけるジョブの実行を了承するものであるか否かに応じて、当該ジョブを即座に実行するか、リチウムイオン電池２３が満充電となるまで待機させるかが制御されるので、省電力モード時におけるジョブ実行タイミングを操作者が選択することができる。
【００７９】
次に、複合機１における定着ヒータ駆動制御時の処理について第３実施形態を説明する。図９は、複合機１における定着ヒータ駆動制御時の処理について第３実施形態を示すフローチャートである。なお、図５乃至図７と同様の処理は図示及び説明を省略し、また、図９においては、図６に示した第１実施形態と同様の処理は同符号を付して説明を省略する。
【００８０】
本第３実施形態では、指示受付部１２からコピー機能実行指示（プリント指示を包含）を受け付けたことを示す信号が入力され（Ｓ５でＹＥＳ）、指示受付部１２に省電力モードの設定が受け付けられている場合に（Ｓ６でＹＥＳ）、リチウムイオン電池２３が満充電状態ではないときは（Ｓ７でＮＯ）、リチウムイオン電池２３の充電完了を待たずに、即座にスキャナ部１１１によるコピー対象の原稿の画像読取を行わせ（Ｓ３１）、画像形成部１１２による画像形成動作及び定着部１１３による定着動作は、リチウムイオン電池２３の充電完了後に行う（Ｓ３２でＹＥＳ）。
【００８１】
本第３実施形態によれば、リチウムイオン電池２３の電力に依存しないスキャナ部１１１による原稿読取動作を即座に行っておき、リチウムイオン電池２３が満充電となった後に画像形成動作及び定着動作を直ちに開始できる状態としておく、コピー機能を実行する場合において、原稿読取動作開始からプリント動作完了までに要する時間を短縮することができる。
【００８２】
次に、複合機１における定着ヒータ駆動制御時の処理について第４実施形態を説明する。図１０は、複合機１における定着ヒータ駆動制御時の処理について第４実施形態を示すフローチャートである。なお、図５乃至図７と同様の処理は図示及び説明を省略し、また、図１０においては、図６に示した第１実施形態と同様の処理は同符号を付して説明を省略する。
【００８３】
本第４実施形態では、動作制御部１５０は、指示受付部１２からプリント指示を受け付けたことを示す信号が入力され（Ｓ５でＹＥＳ）、指示受付部１２に省電力モードの設定が受け付けられている場合（Ｓ６でＹＥＳ）、リチウムイオン電池２３が満充電状態ではないときは（Ｓ７でＮＯ）、リチウムイオン電池２３の充電が完了するまでプリント動作の実行を待機させるが（Ｓ８，Ｓ９）、当該複合機１にネットワーク等により接続されているパーソナルコンピュータから、指示受付部１２に、省電力モード設定しない指示と共にプリント指示が割り込みで受け付けられた場合には（Ｓ４１でＹＥＳ）、動作制御部１５０は、リチウムイオン電池２３が満充電状態となるのを待たずに、このパーソナルコンピュータからのプリント指示を、Ｓ５で既に複合機１に受け付けられていたプリント指示よりも優先させて実行する（Ｓ４２）。
【００８４】
複合機１にネットワーク接続されたパーソナルコンピュータの操作者は、通常、複合機１からは離れた場所で当該パーソナルコンピュータを操作するため、複合機１が省電力モードとなっているか否かを把握し難いが、本第４実施形態によれば、当該パーソナルコンピュータの操作者からのプリント指示があった場合には、複合機１が省電力モードになっていても即座にプリントを実行することにより、画像形成装置が省電力モードでありジョブ待機の可能性があることを認識し難い当該操作者にはストレスを与えない快適なプリント動作を提供することができる。
【００８５】
なお、本発明は、上記実施形態のものに限定されるものではなく、更に以下に述べる態様を採用することができる。上記図４では、電気二重層キャパシタ１９が、リチウムイオン電池２３の電力で充電される構成のものを示したが、本発明はこの構成に限定されるものではなく、例えば、図１１に示すように、電気二重層キャパシタ１９及びリチウムイオン電池２３がそれぞれに電力を供給して駆動する定着ヒータを備え、これら両方の補助電源、又はいずれか一方の補助電源の充電度合が充電度合検出部によって検出される構成を採用し、これらが満充電となっているか否かに応じて、図６，図８乃至図１０に示したＳ７以降の処理を行うようにしてもよい。
【００８６】
また、上記実施形態においては、指示受付部１２にプリント指示が受け付けられた場合に、リチウムイオン電池２３が満充電か否かを判断し、その結果に応じて定着ヒータを駆動するか待機するかの制御を行っているが、複合機１の原稿読取位置、例えば原稿自動送り装置の原稿セット位置等に原稿がセットされ、原稿がセットされたことを示す原稿セット信号が指示受付部１２に入力された場合に、上記制御に入るようにしてもよい。
【００８７】
また、上記実施形態においては、第１定着ヒータ１７にはＤＣ電流が流れ、第２定着ヒータ２６にはＡＣ電流が流れるように構成されているが、本発明は、各定着ヒータに流される電流にＡＣを用いるかＤＣを用いるかに限定されるものではない。
【００８８】
また、上記各実施形態では、電気二重層キャパシタ１９及びリチウムイオン電池２３を用いているが、電気二重層キャパシタ１９又はリチウムイオン電池２３は一例に過ぎず、他のものを用いても構わない。
【００８９】
また、上記図１乃至図１１に示した構成及び処理は、本発明の単なる一実施形態に過ぎず、本発明の構成及び処理をこれらに限定するものではない。
【図面の簡単な説明】
【００９０】
【図１】本発明に係る画像形成装置の一実施形態である複合機の内部構成を示すブロック図であり、特に定着ローラを加熱する定着ヒータのオン／オフを制御する定着ヒータ制御機構を中心とした機能構成図である。
【図２】複合機の各状態種別及び、各状態から他の状態に遷移する契機となるイベントの種別とを示す状態遷移情報である。
【図３】複合機の各状態におけるヒータＯＮ／ＯＦＦ制御回路、リレースイッチ、バッテリ充電制御回路及び第２定着ヒータ駆動回路の状態を示す図である。
【図４】定着ヒータ制御機構の回路イメージ（概略）を示す回路図である。
【図５】複合機による定着ヒータ駆動制御時の処理の第１実施形態を示すフローチャートである。
【図６】複合機による定着ヒータ駆動制御時の処理の第１実施形態を示すフローチャートである。
【図７】複合機による定着ヒータ駆動制御時の処理の第１実施形態を示すフローチャートである。
【図８】複合機による定着ヒータ駆動制御時の処理の第２実施形態を示すフローチャートである。
【図９】複合機による定着ヒータ駆動制御時の処理の第３実施形態を示すフローチャートである。
【図１０】複合機による定着ヒータ駆動制御時の処理の第４実施形態を示すフローチャートである。
【図１１】他の実施形態に係る定着ヒータ制御機構の回路イメージ（概略）を示す回路図である。
【符号の説明】
【００９１】
１        複合機
１１      記録部
１１１    スキャナ部
１１２    画像形成部
１１３    定着部
１２      指示受付部
１５      制御部
１５０    動作制御部
１５２    状態判別部
１５３    スイッチ制御部
１５４    表示制御部
１７      第１定着ヒータ
１８      ヒータＯＮ／ＯＦＦ制御回路
１９      電気二重層キャパシタ
２０      スイッチングレギュレータ
２３      リチウムイオン電池
２４      リレースイッチ
２５      バッテリ充電制御回路
２６      第２定着ヒータ
２７      第２定着ヒータ駆動回路
２８      バッテリ充電度検出部
２９      表示部
３０      定着ヒータ
【図１】
0004685524.tif 000002
【図２】
0004685524.tif 000003
【図３】
0004685524.tif 000004
【図４】
0004685524.tif 000005
【図５】
0004685524.tif 000006
【図６】
0004685524.tif 000007
【図７】
0004685524.tif 000008
【図８】
0004685524.tif 000009
【図９】
0004685524.tif 000010
【図１０】
0004685524.tif 000011
【図１１】
0004685524.tif 000012